(57)【要約】【課題】小型化が可能なレンズ鏡筒を提供する。【解決手段】本発明のレンズ鏡筒は、突起部（１４）を有する第１の部材（８）と、前記突起部（１４）が係合する係合部（１６）が所定範囲に亘って設けられた第２の部材（１０）と、を備えるレンズ鏡筒（１）であって、前記係合部（１６）は、前記第２の部材（１０）を貫通する貫通部（２６）と、前記所定範囲の一部に設けられた非貫通部（２５）と、を有することを特徴とする。【選択図】図４
2009020369.tif 000002
【特許請求の範囲】
【請求項１】
突起部を有する第１の部材と、前記突起部が係合する係合部が所定範囲に亘って設けられた第２の部材と、を備えるレンズ鏡筒であって、
前記係合部は、前記第２の部材を貫通する貫通部と、前記所定範囲の一部に設けられた非貫通部と、を有することを特徴とするレンズ鏡筒。
【請求項２】
請求項１に記載のレンズ鏡筒であって、
前記第１の部材と前記第２の部材とは対向して配置され、
前記非貫通部は、前記所定範囲の一部において、前記第２の部材の前記第１の部材と反対側の第１面を覆う補強部であることを特徴とするレンズ鏡筒。
【請求項３】
請求項１又は２に記載のレンズ鏡筒であって、
前記突起部は、前記係合部を介して前記第１の部材に装着されるものであり、
前記貫通部は、前記突起部が挿脱可能に構成されていることを特徴とするレンズ鏡筒。
【請求項４】
請求項２に記載のレンズ鏡筒であって、
前記第２の部材の前記第１の部材側の第２面と前記第１面との距離は、前記非貫通部における前記第２の部材の、前記第１の部材と反対側の第３面と前記第２面との距離よりも小さいことを特徴とするレンズ鏡筒。
【請求項５】
請求項１〜４のいずれか１項に記載のレンズ鏡筒であって、
前記第１の部材及び前記第２の部材が筒状体であることを特徴とするレンズ鏡筒。
【請求項６】
請求項１〜５のいずれか１項に記載のレンズ鏡筒であって、
光学系を備え、
前記係合部が、前記光学系の光軸方向の成分を有する方向に延在することを特徴とするレンズ鏡筒。
【請求項７】
請求項１〜６のいずれか１項に記載のレンズ鏡筒であって、
前記非貫通部が、前記係合部の略中央部に設けられていることを特徴とするレンズ鏡筒。
【請求項８】
請求項１〜７のいずれか１項に記載のレンズ鏡筒であって、
前記非貫通部に配設された電装部品をさらに有することを特徴とするレンズ鏡筒。
【請求項９】
請求項８に記載のレンズ鏡筒であって、
前記電装部品が、エンコーダパターンを有するフレキシブルプリント基板であることを特徴とするレンズ鏡筒。
【請求項１０】
突起部を有する第１の筒体と、
前記第１の筒体に対して挿通されるとともに、前記突起部が係合する係合部が所定範囲に亘って設けられた第２の筒体と、
前記第２の筒体の前記第１の筒体に対して反対側に配置されるとともに、前記第２の筒体に対して光軸の周方向に回転可能に設けられた第３の筒体と、
を備えるレンズ鏡筒であって、
前記係合部は、前記第２の筒体を貫通する貫通部と、前記所定範囲の一部に設けられた非貫通部とを有し、
前記非貫通部の前記第３の筒体側に、前記第３の筒体の周方向の回転角度を検出する位置検知部が配置されていることを特徴とするレンズ鏡筒。
【請求項１１】
請求項１〜１０のいずれか１項に記載のレンズ鏡筒を備えたカメラ。
【発明の詳細な説明】
【技術分野】
【０００１】
本発明は、レンズ鏡筒及びカメラに関するものである。
【背景技術】
【０００２】
従来、ピンが取り付けられた第１の筒体と、そのピンが係合する溝部を備える第２の筒体とを備え、第１の筒体のピンを第２の筒体の溝部に沿って滑らせて第１の筒体を第２の筒体に対して相対移動させるレンズ鏡筒がある。ここで、第２の筒体の溝部は、第２の筒体を貫通せずに、第２の筒体側に凹状に開口するように形成されている（例えば、特許文献１参照）。
【０００３】
【特許文献１】特開２００４−８６０４９号公報
【発明の開示】
【発明が解決しようとする課題】
【０００４】
ピンが溝部から外れないようするには、溝部をある程度深くすることが必要である。しかし、溝部を深くすると第２の筒体が厚くなり、レンズ鏡筒の小型化の要請に反する。本発明の課題は、小型化が可能なレンズ鏡筒及びカメラを提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、突起部（１４）を有する第１の部材（８）と、前記突起部（１４）が係合する係合部（１６）が所定範囲に亘って設けられた第２の部材（１０）と、を備えるレンズ鏡筒（１）であって、前記係合部（１６）は、前記第２の部材（１０）を貫通する貫通部（２６）と、前記所定範囲の一部に設けられた非貫通部（２５）と、を有することを特徴とするレンズ鏡筒（１）である。
請求項２に記載の発明は、請求項１に記載のレンズ鏡筒（１）であって、前記第１の部材（８）と前記第２の部材（１０）とは対向して配置され、前記非貫通部（２５）は、前記所定範囲の一部において、前記第２の部材（１０）の前記第１の部材（８）と反対側の第１面（１０ａ）を覆う補強部であることを特徴とするレンズ鏡筒（１）である。
請求項３に記載の発明は、請求項１又は２に記載のレンズ鏡筒（１）であって、前記突起部（１４）は、前記係合部（１６）を介して前記第１の部材（８）に装着されるものであり、前記貫通部（２６）は、前記突起部（１４）が挿脱可能に構成されていることを特徴とするレンズ鏡筒（１）である。
請求項４に記載の発明は、請求項２に記載のレンズ鏡筒（１）であって、前記第２の部材（１０）の前記第１の部材（８）側の第２面（１０ｂ）と前記第１面（１０ａ）との距離（ｄ）は、前記非貫通部（２５）における前記第２の部材（１０）の、前記第１の部材（８）と反対側の第３面（１０ｃ）と前記第２面（１０ｂ）との距離（Ｄ）よりも小さいことを特徴とするレンズ鏡筒（１）である。
請求項５に記載の発明は、請求項１〜４のいずれか１項に記載のレンズ鏡筒（１）であって、前記第１の部材（８）及び前記第２の部材（１０）が筒状体であることを特徴とするレンズ鏡筒（１）である。
請求項６に記載の発明は、請求項１〜５のいずれか１項に記載のレンズ鏡筒（１）であって、光学系を備え、前記係合部（１６）が、前記光学系の光軸方向の成分を有する方向に延在することを特徴とするレンズ鏡筒（１）である。
請求項７に記載の発明は、請求項１〜６のいずれか１項に記載のレンズ鏡筒（１）であって、前記非貫通部（２５）が、前記係合部（１６）の略中央部に設けられていることを特徴とするレンズ鏡筒（１）である。
請求項８に記載の発明は、請求項１〜７のいずれか１項に記載のレンズ鏡筒（１）であって、前記非貫通部（２５）に配設された電装部品（２７）をさらに有することを特徴とするレンズ鏡筒（１）である。
請求項９に記載の発明は、請求項８に記載のレンズ鏡筒（１）であって、前記電装部品が、エンコーダパターンを有するフレキシブルプリント基板（２７）であることを特徴とするレンズ鏡筒（１）である。
請求項１０に記載の発明は、突起部（１４）を有する第１の筒体（８）と、前記第１の筒体（８）に対して挿通されるとともに、前記突起部（１４）が係合する係合部（１６）が所定範囲に亘って設けられた第２の筒体（１０）と、前記第２の筒体（１０）の前記第１の筒体（８）に対して反対側に配置されるとともに、前記第２の筒体（１０）に対して光軸の周方向に回転可能に設けられた第３の筒体（２４）と、を備えるレンズ鏡筒（１）であって、前記係合部（１６）は、前記第２の筒体及び（１０）を貫通する貫通部（２６）と、前記所定範囲の一部に設けられた非貫通部（２５）とを有し、前記非貫通部（２５）の前記第３の筒体（２４）側に、前記第３の筒体の周方向の回転角度を検出する位置検知部（２７）が配置されていることを特徴とするレンズ鏡筒（１）である。
請求項１１に記載の発明は、請求項１〜１０のいずれか１項に記載のレンズ鏡筒（１）を備えたカメラ（２）である。
なお、符号を付して説明した構成は、適宜改良してもよく、また、少なくとも一部を他の構成物に代替してもよい。
【発明の効果】
【０００７】
本発明によれば、小型化が可能なレンズ鏡筒及びカメラを提供することができる。
【発明を実施するための最良の形態】
【０００８】
以下、図面等を参照して、本発明の実施形態について説明する。なお、以下に示す各図には、説明と理解を容易にするために、ｘｙｚ直交座標系を設けた。この座標系では、撮影者が光軸Ｃを水平として横長の画像を撮影する場合のカメラの位置（以下、通常の撮影位置という）において撮影者から見て左側に向かう方向をｘプラス方向とする。また、通常の撮影位置において上側に向かう方向をｙプラス方向とする。さらに、通常の撮影位置において被写体に向かう方向をｚプラス方向とする。
【０００９】
図１は本発明の一実施形態のレンズ鏡筒１を備えるカメラ２の概略図である。図示するようにカメラ２は、レンズ鏡筒１が着脱可能に装着されるレンズ交換式の一眼レフカメラであり、その内部にズーム操作機構３を備える。
【００１０】
図２は、ズーム操作機構３の分解斜視図である。図示するように、ズーム操作機構３は、光軸Ｃ側（ｚプラス側）より、レンズ６を保持するレンズ室７と、レンズ室７を保持するとともに光軸Ｃに沿って移動する直進筒８と、直進筒８の外側に配置されるカム筒９と、カム筒９の外側に配置されるとともにカメラ２に対して固定される固定筒１０と、を備える。
【００１１】
レンズ室７は、レンズ６と、そのレンズ６を保持するレンズ枠１２とを備える。直進筒８は、光軸Ｃ側（ｚプラス側）の先端にレンズ室７をはめ込んで保持する筒体である。図２において直進筒８の外周には、１２０度の間隔で３本のピン１４（図２において２本のみ図示）が取り付けられているが、これらのピン１４は、レンズ鏡筒１を組み立てる際に、直進筒８の外側にカム筒９、カム筒９の外側に固定筒１０を配置した状態で、固定筒１０の外側から、固定筒１０の後述する直進溝１６及びカム筒９のカム溝１７を通して直進筒８に取り付けたものである。
【００１２】
カム筒９は、外周に複数のカム溝を備える。複数のカム溝には、光軸Ｃに対して斜めに設けられた３本のカム溝１７が含まれる。これらの３本のカム溝１７は、互いに１２０度の間隔で設けられ、上述したようにピン１４が挿通される。また、カム筒９には、後述するズーム操作筒２４の回転ピン（図示せず）が挿入される孔１８が設けられている。
【００１３】
固定筒１０は、図示しないレンズマウントによってカメラ２に着脱自在に装着され、ズーム動作時及びフォーカス動作時においてもカメラ２に対して相対移動しない筒体である。また、この固定筒１０と上述のカム筒９とは結合部１１によりバヨネット結合されており、固定筒１０に対してカム筒９は光軸方向に移動しないようになっている。固定筒１０には、光軸Ｃと平行且つ固定筒１０の中心から１２０度の間隔で設けられた３本の直進溝１６が設けられている（図２において２本のみ図示）。この直進溝１６には、上述したようにピン１４が挿通される。また固定筒１０には、後述するズーム操作筒２４の回転ピン（図示せず）が移動する回転溝２２も設けられている。
【００１４】
固定筒１０の外周には、図１に示すズーム操作筒２４が配置されている。ズーム操作筒２４は固定筒１０に対して回転可能な筒体であって、ズーム操作時にレンズ鏡筒１の外側より撮影者が直接手動で操作して回転させる部材である。ズーム操作筒２４の内周には、固定筒１０の回転溝２２に挿入される上述の回転ピン（図示せず）が取り付けられており、回転ピンは、固定筒１０の回転溝２２を通ってカム筒９の孔１８に係合する。
【００１５】
図３は、レンズ鏡筒１のズーム操作機構３を光軸と平行な面に沿って切断した概略断面図である。図４は、レンズ鏡筒１のズーム操作機構３の光軸と垂直な面に沿って切断した概略断面図である。図５は固定筒１０の直進溝１６を含む部分の展開図である。
【００１６】
図示するように、固定筒１０における直進溝１６の長手方向の中央部には、固定筒１０と一体的に形成され且つ直進溝１６と直交する非貫通部２５が設けられ、直進溝１６は非貫通部２５と貫通部２６とを有する構造となっている。非貫通部２５は、３本の直進溝１６のそれぞれに対して、その直進溝１６を固定筒１０の外周側から覆うようにして設けられている。また、３つの非貫通部２５のうちの１つの非貫通部２５ａは、他の非貫通部２５ｂよりも固定筒１０の周方向に長く延在している（図４参照）。また、その長い非貫通部２５ａの外面には、エンコーダパターンが形成されたフレキシブルプリント基板（以下、ＦＰＣという）２７が貼着されている。
【００１７】
図４に示すように、非貫通部２５は、固定筒１０の直進溝１６を覆うようにして設けられている。このため、非貫通部２５の内面１０ｄと、固定筒１０のカム筒９に対して反対側（直進筒８に対しても反対側）となる外面１０ａとは、同一円周面上に位置する。ゆえに、固定筒１０のカム筒９側（直進筒８側）の内面１０ｂと固定筒１０のカム筒９に対して反対側となる外面１０ａとの間の距離ｄは、固定筒１０のカム筒９側の内面１０ｂと非貫通部２５における固定筒１０の直進筒８に対して反対側となる外面１０ｃとの間の距離Ｄよりも、非貫通部２５の厚さ分だけ小さくなる。また、直進筒８に固定されているピン１４は、カム筒９のカム溝１７を貫通して固定筒１０の直進溝１６まで延び、その先端が固定筒１０の外面１０ａから突き出さない長さに形成されている。このため、ピン１４が直進溝１６に沿って移動する際に、その先端が非貫通部２５の内面１０ｄとぶつかることがない。
【００１８】
ズーム操作筒２４の内周には、ブラシ２８が取り付けられている。ズーム操作筒２４が固定筒１０に対して回転すると、ブラシ２８がＦＰＣ２７上を移動し、ブラシ２８のＦＰＣ２７上のエンコーダパターンの位置に対応した電気的な信号が生成され、ズーム操作筒２４の回転量が検知される。
【００１９】
次に、動作について説明する。まずカメラ２の撮影者がズーム操作筒２４を回転させると、ズーム操作筒２４の内面に設けられた係合ピン（図示せず）が固定筒１０の回転溝２２に沿って固定筒１０の周方向に移動する。そうすると、その係合ピン（図示せず）が係合しているカム筒９の孔１８の内周面が、係合ピンによって押圧され、カム筒９が回転される。カム筒９が回転すると、カム溝１７も回転し、カム溝１７及び直進溝１６に係合されているピン１４は光軸Ｃに沿って移動する。これにより直進筒８、レンズ室７及びレンズ６が光軸Ｃに沿って移動し、ズーム動作が行われる。このときのレンズ６の光軸方向の繰り出し量は、ブラシ２８のＦＰＣ２７のエンコーダパターン上の移動量から検出される。
【００２０】
以上、本実施形態によると、以下の効果を有する。
（１）ピン１４が直進溝１６から脱落せずに移動するためには、ピン１４と直進溝１６とがある程度の深さで係合する必要がある。溝を形成する場合、一般に溝を、その溝が形成される部材を貫通せずに凹型の非貫通溝として形成する方法と、貫通溝として形成する方法とがある。強度を優先して溝を全体的に非貫通溝として形成すると、その溝が形成される部材が全体的に厚くなる。一方、薄型化を優先して溝を全体的に貫通溝として形成すると、その溝が形成される部材の強度が弱くなる。
【００２１】
しかし、本実施形態によると、直進溝１６の一部に非貫通部２５を形成し、他の部分は貫通させている。このように、一部に非貫通部２５を形成したことで、この非貫通部２５が補強部として機能し、固定筒１０の強度を向上することができる。したがってレンズ鏡筒１が落下し、振動し、又は衝撃を受けたような場合であっても、溝全体を貫通させた場合と比べて固定筒１０が変形しにくく、光学的性能を良好に保つことができる。また、直進溝１６の非貫通部以外の部分を貫通させたことで、この部分の薄型化が可能となる。したがって、スペースを効率良く利用することができる。
（２）ズーム操作筒２４の回転を検出するためのエンコーダパターンが形成されたＦＰＣ２７は、径方向にある程度の長さが必要である。このＦＰＣ２７を固定筒１０において直進溝１６を避けて配置した場合、スペース的に制限されて配置の自由度が低くなる。しかし、本実施形態によると、直進溝１６上の非貫通部２５にＦＰＣ２７を貼着することができるので、配置の自由度を増加することができる。
【００２２】
（変形形態）
以上、説明した実施形態に限定されることなく、種々の変形や変更が可能であって、それらも本発明の範囲内である。
（１）本実施形態では固定筒１０の直進溝１６を貫通部２６と非貫通部２５を有する構造にしたが、これに限定されず、他の曲線状の溝に貫通部と非貫通部を設けてもよい。
（２）本実施形態では非貫通部２５を直進溝１６の長手方向に対して垂直に設けたが、これに限定されず、非貫通部を設ける溝に対して斜めに非貫通部を形成してもよい。
（３）本実施形態では非貫通部２５を固定筒１０と一体で製造したが、これに限定されず、非貫通部を固定筒と別部材として製造し、固定筒に固定する構成としてもよい。
（４）本実施形態では非貫通部２５を直進溝１６の一箇所に設けたが、これに限定されず、補強の観点からすれば複数個所設けてもよい。
（５）本実施形態では非貫通部２５にエンコーダパターンを有するＦＰＣ２７を貼着したが、これに限定されず、距離エンコーダや角速度センサ用のＦＰＣ等、他の電装部品を配置することもできる。
なお、本実施形態及び変形例は、適宜組み合わせて用いることもできるが、詳細な説明は省略する。また、本発明は以上説明した各実施例によって限定されることはない。
【図面の簡単な説明】
【００２３】
【図１】本発明の第１実施形態のレンズ鏡筒を備えるカメラの概略図である。
【図２】レンズ鏡筒に含まれるズーム操作機構の分解斜視図である。
【図３】レンズ鏡筒のズーム操作機構を光軸と平行な面に沿って切断した概略断面図である。
【図４】レンズ鏡筒のズーム操作機構の光軸と垂直な面に沿って切断した概略断面図である。
【図５】固定筒の直進溝を含む部分の展開図である。
【符号の説明】
【００２４】
１：レンズ鏡筒、２：カメラ、８：直進筒、１０：固定筒、１４：ピン、１６：直進溝、２５：非貫通部、２６：貫通部、２７：ＦＰＣ
【図１】
2009020369.tif 000003
【図２】
2009020369.tif 000004
【図３】
2009020369.tif 000005
【図４】
2009020369.tif 000006
【図５】
2009020369.tif 000007